(57)【要約】【課題】表示装置が表示する３次元映像並びに全く異なる映像を１つの眼鏡装置を用いて視聴する映像表示システム並びに眼鏡装置を提供する。【解決手段】左眼側で第１のリターダー２１１ａと第２のリターダー２１１ｃの表裏を反転させることにより、左眼側のレンズを右回り円偏光から左回り円偏光に対応した光学特性に切り換える。パッシブ眼鏡２００を掛けた観察者の左眼及び右眼の双方には、左回り円偏光に変換された映像Ｐ１が遮光され、右回り円偏光に変換された映像Ｐ２のみが届くので、観察者は映像Ｐ２を正常に視聴することができる。【選択図】  図３
2013235209.tif 000002
【特許請求の範囲】
【請求項１】
第１の映像と第２の映像を多重して表示するとともに、前記第１の映像の光を第１の偏光に変換し、前記第２の映像の光を第２の偏光に変換する表示装置と、
それぞれ前記第１の偏光及び前記第２の偏光に対応した光学特性に設定可能な左右のレンズを有し、前記第１の偏光に変換された前記第１の映像又は前記第２の偏光に変換された前記第２の映像のいずれかを選択的に遮光する眼鏡装置と、
を具備する映像表示システム。
【請求項２】
前記表示装置は、前記第１の映像及び前記第２の映像として左眼用映像と右眼用映像を表示する３次元映像表示モードと、前記第１の映像及び前記第２の映像としてそれぞれ異なる映像を表示する複数映像表示モードを有する、
請求項１に記載の映像表示システム。
【請求項３】
前記眼鏡装置は、前記左右のレンズの取り付け位置に応じて前記第１の偏光又は前記第２の偏光のいずれかに対応した光学特性に設定する、
請求項１に記載の映像表示システム。
【請求項４】
前記眼鏡装置は、前記左右のレンズを互いに独立して前記第１の偏光又は前記第２の偏光のいずれかに対応した光学特性に設定可能である、
請求項１に記載の映像表示システム。
【請求項５】
前記眼鏡装置は、前記左右のレンズを一体として前記第１の偏光又は前記第２の偏光のいずれかに対応した光学特性に設定可能である、
請求項１に記載の映像表示システム。
【請求項６】
前記表示装置は、前記第１の映像と前記第２の映像をそれぞれ左回り円偏光又は右回り円偏光のいずれかに変換するλ／４位相差板を備え、
前記眼鏡装置は前記左右のレンズはそれぞれ、表側に第１のλ／４位相差板を有するとともに裏側に第２のλ／４位相差板を有する偏光板からなる、
請求項１に記載の映像表示システム。
【請求項７】
前記第１のλ／４位相差板と前記第２のλ／４位相差板の遅延軸が一致している、
請求項６に記載の映像表示システム。
【請求項８】
前記第１のλ／４位相差板と前記第２のλ／４位相差板の遅延軸が互いに９０度ずれている、
請求項６に記載の映像表示システム。
【請求項９】
前記眼鏡装置は、前記第１のλ／４位相差板と前記第２のλ／４位相差板の表裏を反転させる反転機構を備え、
前記第１のλ／４位相差板と前記第２のλ／４位相差板の表裏を反転させることで、左回り円偏光又は右回り円偏光の光学特性のいずれかに設定する、
請求項６に記載の映像表示システム。
【請求項１０】
前記反転機構は、左右のレンズを独立して前記第１のλ／４位相差板と前記第２のλ／４位相差板の表裏を反転させる、
請求項９に記載の映像表示システム。
【請求項１１】
前記反転機構は、左右のレンズ間のブリッジ部で左右のレンズをそれぞれ個別に回転可能に支持する、
請求項１０に記載の映像表示システム。
【請求項１２】
前記反転機構は、左右のレンズを一体として前記第１のλ／４位相差板と前記第２のλ／４位相差板の表裏を反転させる、
請求項９に記載の映像表示システム。
【請求項１３】
前記反転機構は、左右のレンズを保持する眼鏡フレームに対し左右のテンプル部の前後の向きを切り換える、
請求項１２に記載の映像表示システム。
【請求項１４】
前記表示装置は、前記第１の映像と前記第２の映像をそれぞれ鉛直直線偏光又は水平直線円偏光のいずれかに変換するλ／２位相差板を備え、
前記眼鏡装置は前記左右のレンズはそれぞれ、表側に第１のλ／２位相差板を有するとともに裏側に第２のλ／２位相差板を有する偏光板からなる、
請求項１に記載の映像表示システム。
【請求項１５】
前記眼鏡装置は、前記第１のλ／２位相差板と前記第２のλ／２位相差板の表裏を反転させる反転機構を備え、
前記第１のλ／２位相差板と前記第２のλ／２位相差板の表裏を反転させることで、鉛直直線偏光又は水平直線偏光の光学特性のいずれかに設定する、
請求項１４に記載の映像表示システム。
【請求項１６】
それぞれ前記第１の偏光及び前記第２の偏光に対応した光学特性に設定可能な左右のレンズを有し、前記第１の偏光に変換された前記第１の映像又は前記第２の偏光に変換された前記第２の映像のいずれかを選択的に遮光する眼鏡装置。
【請求項１７】
前記左右のレンズはそれぞれ、表側に第１のλ／２位相差板を有するとともに裏側に第２のλ／２位相差板を有する偏光板からなる、
請求項１６に記載の眼鏡装置。
【請求項１８】
前記第１のλ／２位相差板と前記第２のλ／２位相差板の表裏を反転させる反転機構をさらに備え、前記第１のλ／２位相差板と前記第２のλ／２位相差板の表裏を反転させることで、鉛直直線偏光又は水平直線偏光の光学特性のいずれかに設定する、
請求項１６に記載の眼鏡装置。
【請求項１９】
前記反転機構は、左右のレンズ間のブリッジ部で左右のレンズをそれぞれ個別に回転可能に支持する、
請求項１８に記載の眼鏡装置。
【請求項２０】
前記反転機構は、左右のレンズを保持する眼鏡フレームに対し左右のテンプル部の前後の向きを切り換える、
請求項１８に記載の眼鏡装置。
【発明の詳細な説明】
【技術分野】
【０００１】
本明細書で開示する技術は、複数の映像を多重して表示する表示装置と多重された複数の映像を観察する眼鏡装置からなる映像表示システム並びに眼鏡装置に係り、特に、表示装置が表示する３次元映像並びに全く異なる映像を１つの眼鏡装置を用いて視聴する映像表示システム並びに眼鏡装置に関する。
【背景技術】
【０００２】
左右の眼に視差のある映像を表示することで、観察者に３次元的に見える３次元映像を提示することができる。例えば、眼鏡を利用した３次元映像表示システムは、表示装置側では時分割又は空間分割で左眼用映像及び右眼用映像を多重して表示し、眼鏡側では多重された左眼用映像と右眼用映像を分離し、左眼には左眼用映像の光のみを入射させるとともに右眼には右眼用映像の光のみを入射させる。そして、観察するユーザーの脳内では左眼用映像と右眼用映像が融像され３次元映像として認識される。
【０００３】
時分割３次元映像表示方式では、表示装置が視差のある左眼用映像及び右眼用映像を非常に短い周期で交互に表示し、一方の眼鏡側では、左眼用映像がディスプレイされる間は眼鏡の左眼部が光を透過するとともに右眼部が遮光し、右眼用映像がディスプレイされる間は眼鏡の右眼部が光を透過するとともに、左眼部が遮光する。例えば、シャッター眼鏡は、左眼部及び右眼部それぞれに液晶シャッターを配設し、表示装置側での左眼用映像と右眼用映像の切り換わりに同期して左右の液晶シャッターを交互に開閉操作して、左右の眼への映像の入射及び遮光を制御することができる（例えば、特許文献１を参照のこと）。シャッター眼鏡は、液晶シャッターを駆動制御するアクティブ眼鏡であり、眼鏡が高価になる。また、表示装置からシャッター眼鏡へ、液晶シャッターの開閉タイミングを制御するための信号を送信する必要もある。
【０００４】
また、時分割３次元映像表示方式の他の例として、アクティブ・リターダー方式を挙げることができる。すなわち、表示装置の画面の前方に、位相差を電気的に制御する位相板すなわちアクティブ・リターダーを配設し、左眼用映像及び右眼用映像の表示期間に同期してアクティブ・リターダーの位相差を時分割で変化させて、左眼用映像をなす光を左回り円偏光に変換するとともに、右眼用映像をなす光を右回り円偏光させる。一方、観察者が掛ける偏光眼鏡は、左眼側に左回り円偏光に対応した偏光レンズ（リターダー）を取り付けるとともに、右眼側に右回り円偏光に対応した偏光レンズを取り付けている。したがって、時分割多重された左眼用映像と右眼用映像は、偏光眼鏡を通過することで分離され、それぞれ左右の眼で観察することができる（例えば、特許文献２を参照のこと）。偏光眼鏡は、シャッター眼鏡とは相違し、駆動部を持たないパッシブ眼鏡であり、安価で提供することができる。
【０００５】
また、パッシブ眼鏡を利用した空間分割３次元映像表示方式として、パターン・リターダー方式を挙げることができる。表示装置の画面前方に、位相差の異なる位相差板（パターン・リターダー）を１水平走査ライン毎に交互に配設するとともに、表示装置は１水平走査ライン毎に左眼用映像と右眼用映像を交互に画面表示する。ここで、パターン・リターダーは、左眼用映像をなす光を左回り円偏光に変換するとともに、右眼用映像をなす光を右回り円偏光に変換する。そして、観察者は、左眼側に左回り円偏光に対応した偏光レンズ（リターダー）を有し、右眼側に右回り円偏光に対応した偏光レンズを有する偏光眼鏡を掛けて、３次元映像を観察することができる（例えば、特許文献３を参照のこと）。
【０００６】
前者の時分割３次元映像表示方式は、解像度の劣化なく３次元映像を表示することができるが、文字通り５０Ｈｚ又は６０Ｈｚのフレーム周期で左右の映像を切り替えるので、画面のちらつきが発生することが懸念される。また、後者の空間分割３次元視表示方式は、解像度が劣化するものの、画面のちらつきがなく、快適な３次元映像の視聴を実現することができる。付言すれば、パッシブ眼鏡を利用するので、安価である。
【０００７】
いずれの方式にせよ３次元映像表示方式は、異なる視点の映像を表示する技術と捉えることができる。３次元視の応用例として、左右の眼の映像ではなく、複数の異なる映像Ｐ１、Ｐ２を時分割又は空間分割で表示するなど、１台の表示装置で全く異なる映像を同時に視聴する映像表示システムが挙げられる。この場合、ある観察者は左右両方の眼で映像Ｐ１を観察し、他の観察者は、左右両方の眼で映像Ｐ２を観察することになる。
【０００８】
シャッター眼鏡方式は、シャッター眼鏡は電気的に光変調している。したがって、一方の映像Ｐ１を視聴したい観察者に対し、映像Ｐ１の表示期間に同期して眼鏡の左右の液晶シャッターをともに開成し、他方の映像Ｐ２を視聴したい観察者に対し、映像Ｐ２の表示期間に同期して眼鏡の左右の液晶シャッターをともに閉成するなど、一方の映像を遮光するようにシャッター眼鏡の開閉動作をタイミング制御すればよい。すなわち、３次元映像表示の場合と同一のシャッター眼鏡を用いて、全く異なる映像を１台の表示装置で同時に楽しむことができる。
【０００９】
一方、パッシブ眼鏡方式の場合には、あらかじめ決められた位相差により光変調しているため、左右いずれかのリターダーが映像の光を遮光することになり、観察者は左右の眼で同時に同じ映像を視聴することはできない。表示装置１００側で、時分割又は空間分割により複数の映像Ｐ１、Ｐ２を表示すると、一方の眼には映像Ｐ１が入射し、他方の眼に映像Ｐ２が入射し、いずれの映像Ｐ１、Ｐ２も正常に観察することはできない、すなわち、３次元映像表示の場合と同一のパッシブ眼鏡を用いて異なる映像を１台の表示装置で同時に楽しむことはできない。
【先行技術文献】
【特許文献】
【００１０】
【特許文献１】特開２０１１−３９１９４号公報
【特許文献２】特開２０１１−２４２７７３号公報
【特許文献３】特開２００９−３０１０３９号公報
【発明の概要】
【発明が解決しようとする課題】
【００１１】
本明細書で開示する技術の目的は、表示装置が表示する３次元映像並びに全く異なる映像を１つの眼鏡装置を用いて視聴することができる、優れた映像表示システム並びに眼鏡装置を提供することにある。
【課題を解決するための手段】
【００１２】
本願は、上記課題を参酌してなされたものであり、請求項１に記載の技術は、
第１の映像と第２の映像を多重して表示するとともに、前記第１の映像の光を第１の偏光に変換し、前記第２の映像の光を第２の偏光に変換する表示装置と、
それぞれ前記第１の偏光及び前記第２の偏光に対応した光学特性に設定可能な左右のレンズを有し、前記第１の偏光に変換された前記第１の映像又は前記第２の偏光に変換された前記第２の映像のいずれかを選択的に遮光する眼鏡装置と、
を具備する映像表示システムである。
【００１３】
但し、ここで言う「システム」とは、複数の装置（又は特定の機能を実現する機能モジュール）が論理的に集合した物のことを言い、各装置や機能モジュールが単一の筐体内にあるか否かは特に問わない。
【００１４】
本願の請求項２に記載の技術によれば、請求項１に記載の映像表示システムにおいて、前記表示装置は、前記第１の映像及び前記第２の映像として左眼用映像と右眼用映像を表示する３次元映像表示モードと、前記第１の映像及び前記第２の映像としてそれぞれ異なる映像を表示する複数映像表示モードを有している。
【００１５】
本願の請求項３に記載の技術によれば、請求項１に記載の映像表示システムにおいて、前記眼鏡装置は、前記左右のレンズの取り付け位置に応じて前記第１の偏光又は前記第２の偏光のいずれかに対応した光学特性に設定するように構成されている。
【００１６】
本願の請求項４に記載の技術によれば、請求項１に記載の映像表示システムにおいて、前記眼鏡装置は、前記左右のレンズを互いに独立して前記第１の偏光又は前記第２の偏光のいずれかに対応した光学特性に設定可能となるように構成されている。
【００１７】
本願の請求項５に記載の技術によれば、請求項１に記載の映像表示システムにおいて、前記眼鏡装置は、前記左右のレンズを一体として前記第１の偏光又は前記第２の偏光のいずれかに対応した光学特性に設定可能となるように構成されている。
【００１８】
本願の請求項６に記載の技術によれば、請求項１に記載の映像表示システムにおいて、前記表示装置は、前記第１の映像と前記第２の映像をそれぞれ左回り円偏光又は右回り円偏光のいずれかに変換するλ／４位相差板を備えている。そして、前記眼鏡装置は前記左右のレンズはそれぞれ、表側に第１のλ／４位相差板を有するとともに裏側に第２のλ／４位相差板を有する偏光板で構成されている。
【００１９】
本願の請求項７に記載の技術によれば、請求項６に記載の映像表示システムにおいて、前記第１のλ／４位相差板と前記第２のλ／４位相差板の遅延軸が一致するように構成されている。
【００２０】
本願の請求項８に記載の技術によれば、請求項６に記載の映像表示システムにおいて、前記第１のλ／４位相差板と前記第２のλ／４位相差板の遅延軸が互いに９０度ずれて構成されている。
【００２１】
本願の請求項９に記載の技術によれば、請求項６に記載の映像表示システムにおいて、前記眼鏡装置は、前記第１のλ／４位相差板と前記第２のλ／４位相差板の表裏を反転させる反転機構を備えている。そして、前記第１のλ／４位相差板と前記第２のλ／４位相差板の表裏を反転させることで、左回り円偏光又は右回り円偏光の光学特性のいずれかに設定するように構成されている。
【００２２】
本願の請求項１０に記載の技術によれば、請求項９に記載の映像表示システムにおいて、前記反転機構は、左右のレンズを独立して前記第１のλ／４位相差板と前記第２のλ／４位相差板の表裏を反転させるように構成されている。
【００２３】
本願の請求項１１に記載の技術によれば、請求項１０に記載の映像表示システムにおいて、前記反転機構は、左右のレンズ間のブリッジ部で左右のレンズをそれぞれ個別に回転可能に支持するように構成されている。
【００２４】
本願の請求項１２に記載の技術によれば、請求項９に記載の映像表示システムにおいて、前記反転機構は、左右のレンズを一体として前記第１のλ／４位相差板と前記第２のλ／４位相差板の表裏を反転させるように構成されている。
【００２５】
本願の請求項１３に記載の技術によれば、請求項１２に記載の映像表示システムにおいて、前記反転機構は、左右のレンズを保持する眼鏡フレームに対し左右のテンプル部の前後の向きを切り換えるように構成されている。
【００２６】
本願の請求項１４に記載の技術によれば、請求項１に記載の映像表示システムにおいて、前記表示装置は、前記第１の映像と前記第２の映像をそれぞれ鉛直直線偏光又は水平直線円偏光のいずれかに変換するλ／２位相差板を備えている。そして、前記眼鏡装置は前記左右のレンズはそれぞれ、表側に第１のλ／２位相差板を有するとともに裏側に第２のλ／２位相差板を有する偏光板で構成される。
【００２７】
本願の請求項１５に記載の技術によれば、請求項１４に記載の映像表示システムにおいて、前記眼鏡装置は、前記第１のλ／２位相差板と前記第２のλ／２位相差板の表裏を反転させる反転機構を備えている。そして、前記第１のλ／２位相差板と前記第２のλ／２位相差板の表裏を反転させることで、鉛直直線偏光又は水平直線偏光の光学特性のいずれかに設定するように構成されている。
【００２８】
また、本願の請求項１６に記載の技術は、
それぞれ前記第１の偏光及び前記第２の偏光に対応した光学特性に設定可能な左右のレンズを有し、前記第１の偏光に変換された前記第１の映像又は前記第２の偏光に変換された前記第２の映像のいずれかを選択的に遮光する眼鏡装置である。
【００２９】
本願の請求項１７に記載の技術によれば、請求項１６に記載の眼鏡装置は、前記左右のレンズがそれぞれ、表側に第１のλ／２位相差板を有するとともに裏側に第２のλ／２位相差板を有する偏光板で構成される。
【００３０】
本願の請求項１８に記載の技術によれば、請求項１６に記載の眼鏡装置は、前記第１のλ／２位相差板と前記第２のλ／２位相差板の表裏を反転させる反転機構をさらに備えている。そして、前記第１のλ／２位相差板と前記第２のλ／２位相差板の表裏を反転させることで、鉛直直線偏光又は水平直線偏光の光学特性のいずれかに設定するように構成されている。
【００３１】
本願の請求項１９に記載の技術によれば、請求項１８に記載の眼鏡装置は、前記反転機構が、左右のレンズ間のブリッジ部で左右のレンズをそれぞれ個別に回転可能に支持するように構成されている。
【００３２】
本願の請求項２０に記載の技術によれば、請求項１８に記載の眼鏡装置は、前記反転機構が、左右のレンズを保持する眼鏡フレームに対し左右のテンプル部の前後の向きを切り換えるように構成されている。
【発明の効果】
【００３３】
本明細書で開示する技術によれば、表示装置が表示する３次元映像並びに全く異なる映像を１つの眼鏡装置を用いて視聴することができる、優れた映像表示システム並びに眼鏡装置を提供することができる。
【００３４】
本明細書で開示する技術のさらに他の目的、特徴や利点は、後述する実施形態や添付する図面に基づくより詳細な説明によって明らかになるであろう。
【図面の簡単な説明】
【００３５】
【図１】図１は、本明細書で開示する技術を適用可能な表示装置１００の機能的構成を模式的に示した図である。
【図２】図２は、本明細書で提案するパッシブ眼鏡２００を含んだ映像表示システムの構成を示した図である。
【図３】図３は、図２に示した映像表示システムにおいて、表示装置１００側で異なる映像Ｐ１、Ｐ２を多重して表示するとともに、パッシブ眼鏡２００越しで片方の映像Ｐ２を視聴する様子を示した図である。
【図４】図４は、図２に示した映像表示システムにおいて、表示装置１００側で異なる映像Ｐ１、Ｐ２を多重して表示するとともに、パッシブ眼鏡２００越しで片方の映像Ｐ１を視聴する様子を示した図である。
【図５】図５は、本明細書で提案するパッシブ眼鏡２００を含んだ映像表示システムの他の構成を示した図である。
【図６】図６は、図５に示した映像表示システムにおいて、表示装置１００側で異なる映像Ｐ１、Ｐ２を多重して表示するとともに、パッシブ眼鏡２００越しで片方の映像Ｐ２を視聴する様子を示した図である。
【図７】図７は、図５に示した映像表示システムにおいて、表示装置１００側で異なる映像Ｐ１、Ｐ２を多重して表示するとともに、パッシブ眼鏡２００越しで片方の映像Ｐ１を視聴する様子を示した図である。
【図８】図８は、本明細書で提案するパッシブ眼鏡２００の他の構成例を示した図である。
【図９】図９は、本明細書で提案するパッシブ眼鏡２００の他の構成例を示した図である。
【図１０】図１０は、パターン・リターダー方式の映像表示システムの動作原理を説明するための図である。
【図１１】図１１は、パターン・リターダー方式の映像表示システムの動作原理を説明するための図である。
【図１２】図１２は、図１０に示した映像表示システムにおいて異なる映像Ｐ１、Ｐ２を視聴する様子を示した図である。
【図１３】図１３は、左右の偏光レンズともに左回り円偏光に対応した光学特性を有するパッシブ眼鏡を示した図である。
【図１４】図１４は、左右の偏光レンズともに右回り円偏光に対応した光学特性を有するパッシブ眼鏡を示した図である。
【発明を実施するための形態】
【００３６】
以下、図面を参照しながら本明細書で開示する技術の実施形態について詳細に説明する。
【００３７】
図１には、本明細書で開示する技術を適用可能な表示装置１００の機能的構成を模式的に示している。また、図１には、表示装置１００が表示する映像を視聴者が観察する際に用いるパッシブ眼鏡２００も併せて示している。
【００３８】
表示装置１００は、映像表示部１１０と、映像信号処理部１２０と、タイミング制御部１４０と、映像メモリー１５０を備えている。
【００３９】
映像信号処理部１２０は、映像信号処理部１２０の外部からの映像信号の伝送を受けると、映像表示部１１０における映像表示に適したものとなるように各種信号処理を実行して出力する。例えば、映像信号処理部１２０は、３次元映像又は２つの異なる映像を入力すると、１水平走査ライン毎に、左眼用映像と右眼用映像、又は異なる２つの映像Ｐ１、Ｐ２を交互に描画して、１フレーム分の映像を生成する。生成した画像は映像メモリー１５０に供給される。また、映像信号処理部１２０は、映像信号の切り替えのタイミングに同期して、データ・ドライバー１１３及びゲート・ドライバー１１４が動作するように、所定の制御信号をタイミング制御部１４０へ供給する。なお、ここで言う、映像信号の伝送元となる「外部」には、ディジタル放送の受信機や、ブルーレイ・ディスク・プレイヤーなどのコンテンツ再生装置を挙げることができる。
【００４０】
映像表示部１１０は、外部から印加された信号に応じた映像の表示を行なう。映像表示部１１０は、表示パネル１１２と、ゲート・ドライバー１１３と、データ・ドライバー１１４と、光源１６２を備えている。
【００４１】
ゲート・ドライバー１１３は、順次駆動するための信号を生成する駆動回路であり、タイミング制御部１４０から伝送された信号に応じて、表示パネル１１２内の各画素に接続されたゲート・バス・ラインへ、駆動電圧を出力する。また、データ・ドライバー１１４は、映像信号に基づく駆動電圧を出力する駆動回路であり、タイミング制御部１４０から伝送された信号並びに映像メモリー１５０から読み出された映像信号に基づいてデータ線へ印加する信号を生成して出力する。
【００４２】
表示パネル１１２は、例えば格子状に配列された複数の画素を有する。液晶表示パネルの場合、ガラスなどの透明板の間に所定の配向状態を有する液晶分子が封入されており、外部からの信号の印加に応じて画像を表示する。上述したように、表示パネル１１２への信号の印加はゲート・ドライバー１１３及びデータ・ドライバー１１４によって実行される。
【００４３】
光源１６２は、視聴者側から見て画像表示部１１０の一番奥に設けられるバックライトである。画像表示部１１０に画像を表示する際、光源１６２からは無偏光の白色光が視聴者側に位置する表示パネル１１２に出射される。
【００４４】
なお、本明細書では、映像表示部１１０として液晶ディスプレイを用いた実施形態について記載するが、本明細書で開示する技術の要旨はこれに限定されるものではない。例えばＯＬＥＤ（Ｏｒｇａｎｉｃ  Ｌｉｇｈｔ  Ｅｍｉｔｔｉｎｇ  Ｄｉｏｄｅ）やＬＥＤ（Ｌｉｇｈｔ  Ｅｍｉｔｔｉｎｇ  Ｄｉｏｄｅ）など、複数の色成分のセルによって１つの画素を形成し、複数の画素を水平方向及び垂直方向に順次配置して構成される、他のディスプレイにも同様に本発明を適用することができる。
【００４５】
表示装置１００は、左眼用映像と右眼用映像、又は異なる２つの映像を空間変調して表示するが、パッシブ眼鏡２００との組み合わせにより、パターン・リターダー方式の映像表示システムを構成する。
【００４６】
ここで、パターン・リターダー方式の映像表示システムの動作原理について、図１０を参照しながら説明する。同図では、表示装置１００を側面から眺めている。図示の通り、表示パネル１１２の後面及び前面には、偏光方向が互いに直交する偏光板１３２ａ、１３２ｂが貼設されている。また、表示パネル１１２の前方には、１水平走査ライン毎に−λ／４の位相差を有する偏光領域１３１ａ及び＋λ／４の位相差を有する偏光領域１３１ｂが交互に切り替わる位相差板すなわちパターン・リターダー１３１が配設されている（但し、λは使用波長とする）。
【００４７】
表示装置１００が３次元映像を表示する際、表示パネル１１２は、映像信号の印加により、１水平走査ライン毎に、右眼用映像Ｒと左眼用映像Ｌを交互に表示する。光源１６２（図２中では省略）からの光を、偏光板１３２ａ、１３２ｂ及び液晶素子からなる表示パネル１１２で偏光する。さらに、偏光板１３２ｂを通過した光を、偏光板１３２ｂの前方に配設されたパターン・リターダー１３１で円偏光させる。すなわち、パターン・リターダー１３１は、１水平走査ライン毎に、左眼用映像Ｌを−λ／４の位相差を有する偏光領域１３１ａで左回り円偏光に変換するとともに、右眼用映像Ｒを＋λ／４の位相差を有する偏光領域１３１ｂで右回り偏光に変換する。
【００４８】
一方、パッシブ眼鏡２００の左眼用レンズ２１１側には、偏光板２１１ｂの表側に−λ／４の位相差を持つリターダー２１１ａを配設して、左眼用映像Ｌの左回り円偏光に対応した光学特性を有している。また、パッシブ眼鏡２００の右眼用レンズ２１２側は、偏光板２１２ｂの表側に＋λ／４の位相差を持つリターダー２１２ａを配設して、右眼用映像Ｒの右回り円偏光に対応した光学特性を有している。したがって、このパッシブ眼鏡２００を掛けた観察者の左眼には右眼用映像Ｒが遮光されて左眼用映像Ｌのみが届き、右眼には左眼用映像Ｌが遮光されて右眼用映像Ｒのみが届く。
【００４９】
このように観察者は、表示装置１００が表示する３次元映像をパッシブ眼鏡２００越しに見ることで、左眼用映像Ｌと右眼用画像Ｒを分離してそれぞれを左眼及び右眼で視認して、立体視することができる。
【００５０】
なお、パターン・リターダー１３１は、偏光領域１３１ａと偏光領域１３１ｂそれぞれの光学軸が互いに直交していることが必須であるが、位相差が必ずしも±λ／４である場合に限定されない。例えば、図１１に示すように、パターン・リターダー１３１は、一方の偏光領域１３１ａで−λ／２の位相差を有するとともに、他方の偏光領域１３１ｂで＋λ／２の位相差を有し、左眼用映像Ｌ及び右眼用映像Ｒをそれぞれ鉛直直線偏光、水平直線偏光のいずれかに変換する。また、パッシブ眼鏡２００は、左眼側のリターダー２１１ａ、右眼側のリターダー２１２ａがそれぞれ±λ／２の位相差を有して、鉛直直線偏光、水平直線偏光に対応した光学特性を有している。したがって、図１０に示したシステム構成例の場合と同様に、観察者は、表示装置１００が表示する３次元映像をパッシブ眼鏡２００越しに見ることで、左眼用映像Ｌと右眼用画像Ｒを分離してそれぞれを左眼及び右眼で視認して、立体視することができる。
【００５１】
３次元映像表示方式は異なる視点の映像を表示する技術と捉えることができる。３次元視の応用例として、左右の映像ではなく、１台の表示装置で全く異なる映像を同時に視聴する映像表示システムが挙げられる。例えば、第１のプレイヤーの映像Ｐ１と第２のプレイヤーの映像Ｐ２を多重化して表示すれば、１台の表示装置でロール・プレイング・ゲームを同時に楽しむことができる。
【００５２】
パッシブ眼鏡方式の場合、上述したように、左右のリターダーのあらかじめ決められた位相差により光変調している。ここで、図１０に示した映像表示システムにおいて、表示装置１００が、３次元映像ではなく、２つの異なる映像Ｐ１、Ｐ２を空間分割多重して表示した画像をパッシブ眼鏡２００越しに観察する場合について、図１２を参照しながら考察してみる。
【００５３】
表示パネル１１２は、映像信号の印加により、１水平走査ライン毎に、映像Ｐ１、Ｐ２を交互に表示する。そして、パターン・リターダー１３１は、一方の映像Ｐ１を−λ／４の位相差を有する偏光領域１３１ａで左回り円偏光に変換するとともに、他方の映像Ｐ２を＋λ／４の位相差を有する偏光領域１３１ｂで右回り偏光に変換する。一方、パッシブ眼鏡２００の左眼側は、偏光板２１１ｂの表側に−λ／４の位相差を持つリターダー２１１ａを配設して左回り円偏光に対応した光学特性を有し、右眼側は、偏光板２１２ｂの表側に＋λ／４の位相差を持つリターダー２１２ａを配設して右回り円偏光に対応した光学特性を有している。したがって、このパッシブ眼鏡２００を掛けた観察者の左眼には映像Ｐ２が遮光されて映像Ｐ１のみが届き、右眼には映像Ｐ１が遮光されて映像Ｐ２のみが届く。いずれの映像Ｐ１、Ｐ２も正常に観察することはできない。
【００５４】
表示装置１００で空間分割して表示される異なる映像Ｐ１、Ｐ２をそれぞれ正常に観察できるようにするために、映像Ｐ１を視聴するときには、図１３に示すように、左右に−λ／４の位相差を持つリターダー２１１ａ、２１２ａを配設して、左右の偏光レンズともに映像Ｐ１の左回り円偏光に対応した光学特性を有するパッシブ眼鏡を使用する。同様に、映像Ｐ２を視聴するときには、図１４に示すように、左右に＋λ／４の位相差を持つリターダー２１１ａ、２１２ａを配設して、左右の偏光レンズともに映像Ｐ２の右回り円偏光に対応した光学特性を有するパッシブ眼鏡を使用する。３次元映像観察用のパッシブ眼鏡２００（図１０を参照のこと）を含めて、３種類のパッシブ眼鏡を使い分けなければならない。映像の表示モードに応じて複数の眼鏡を使い分けるのは、ユーザーに混乱と手間を与えてしまう。また、複数のパッシブ眼鏡を用意することはコスト増にもなる。
【００５５】
そこで、本明細書では、表示装置１００の３次元映像表示時、及び、異なる映像Ｐ１、Ｐ２表示時のいずれにも対応することができるパッシブ眼鏡について提案する。
【００５６】
図２には、本提案に係るパッシブ眼鏡２００を含んだ映像表示システムの構成を示している。表示装置１００は、偏光領域１３１ａと偏光領域１３１ｂにそれぞれ±λ／４の位相差を持つパターン・リターダー１３１を備えている。これに対し、パッシブ眼鏡２００は、左眼側の偏光板２１１ｂの表側にλ／４位相差を持つ第１のリターダー２１１ａが配設されるとともに、偏光板２１１ｂの裏側にλ／４位相差を持つ第２のリターダー２１１ｃが配設されている。第１のリターダー２１１ａと第２のリターダー２１１ｃの遅延軸が一致しているか、又は、互いの遅延軸が９０度ずれていることが必須である。図示の例では、第１のリターダー２１１ａと第２のリターダー２１１ｃともに−λ／４の位相差を持ち、左回り円偏光に対応した光学特性を有している。また、右眼側の偏光板２１２ｂの表側にλ／４位相差を持つ第１のリターダー２１２ａが配設されるとともに、偏光板２１２ｂの裏側にλ／４位相差を持つ第２のリターダー２１２ｃが配設されている。第１のリターダー２１２ａと第２のリターダー２１２ｃの遅延軸が一致しているか、又は、互いの遅延軸が９０度ずれていることが必須である。図示の例では、第１のリターダー２１２ａと第２のリターダー２１２ｃともに＋λ／４の位相差を持ち、右回り円偏光に対応した光学特性を有している。
【００５７】
表示装置１００側では、３次元映像表示時に、表示パネル１１２の１水平走査ライン毎に左眼用映像Ｌと右眼用映像Ｒを交互に表示する。左眼用映像Ｌはパターン・リターダー１３１の偏光領域１３１ａにより左回り円偏光に変換され、右眼用映像Ｒは偏光領域１３１ｂにより右回り円偏光に変換される。したがって、パッシブ眼鏡２００を掛けた観察者の左眼には右眼用映像Ｒが遮光されて左眼用映像Ｌのみが届き、右眼には左眼用映像Ｌが遮光されて右眼用映像Ｒのみが届く。したがって、観察者は映像を立体視することができる。
【００５８】
また、図２に示すパッシブ眼鏡２００は、左右のレンズの光学特性を切り替える機構を有する点で新規である。図示のように、それぞれλ／４の位相差を持つ第１のリターダー２１１ａ及び第２のリターダー２１１ｃが偏光板２１１ｂの表側と裏側に配設されている場合、図３に示すように、左眼側で第１のリターダー２１１ａと第２のリターダー２１１ｃの表裏を反転させることにより、左眼側のレンズを右回り円偏光から左回り円偏光に対応した光学特性に切り換えることができる。
【００５９】
表示装置１００側で、表示パネル１１２の１水平走査ライン毎に、異なる映像Ｐ１とＰ２を交互に表示すると、一方の映像Ｐ１は左回り円偏光に変換され、他方の映像Ｐ２は右回り円偏光に変換される。したがって、パッシブ眼鏡２００を掛けた観察者の左眼及び右眼の双方には、左回り円偏光に変換された映像Ｐ１が遮光され、右回り円偏光に変換された映像Ｐ２のみが届くので、観察者は映像Ｐ２を正常に視聴することができる。
【００６０】
同様に、右眼側についても、図４に示すように、右眼側で第１のリターダー２１２ａと第２のリターダー２１２ｃの表裏を反転させることにより、右眼側のレンズを右回り円偏光から左回り円偏光に対応した光学特性に切り換えることができる。
【００６１】
表示装置１００側で、表示パネル１１２の１水平走査ライン毎に、異なる映像Ｐ１とＰ２を交互に表示すると、パッシブ眼鏡２００を掛けた観察者の左眼及び右眼の双方には、右回り円偏光に変換された映像Ｐ２が遮光され、左回り円偏光に変換された映像Ｐ１のみが届くので、観察者は映像Ｐ１を正常に視聴することができる。
【００６２】
図２〜図４に示したように、±λ／４の位相差を有するリターダーと偏光板の組み合わせることで、左回り円偏光特性又は右回り円偏光特性を有するレンズを有するパッシブ眼鏡２００を構成することができる。そして、左右の各レンズの表裏を逆にすることにより、レンズを左回り円偏光から右回り円偏光へ、右回り円偏光から左回り円偏光へ切り換えることができる。例えば、左右のレンズを眼鏡のブリッジ部で（ピッチ軸回りに）回転可能に支持する構造を採用することにより、表裏を反転させて光学特性を切り替えることができる。あるいは、左右の各レンズを眼鏡フレームに対して取り外し自在で且つ、表裏いずれの方向でも取り付け可能な構造を採用することで、表裏を反転させて光学特性を切り替えることができる。
【００６３】
図５には、本提案に係るパッシブ眼鏡２００を含んだ映像表示システムの他の構成を示している。表示装置１００は、偏光領域１３１ａと偏光領域１３１ｂにそれぞれ±λ／２の位相差を持つパターン・リターダー１３１を備えている。これに対し、パッシブ眼鏡２００側では、左眼側の第１のリターダー２１１ａと第２のリターダー２１１ｃともに−λ／２の位相差を持ち、水平直線偏光に対応した光学特性を有している。また、右眼側の第１のリターダー２１２ａと第２のリターダー２１２ｃともに＋λ／２の位相差を持ち、鉛直直線偏光に対応した光学特性を有している。
【００６４】
表示装置１００側では、３次元映像表示時に、表示パネル１１２の１水平走査ライン毎に左眼用映像Ｌと右眼用映像Ｒを交互に表示する。左眼用映像Ｌはパターン・リターダー１３１の偏光領域１３１ａにより水平直線円偏光に変換され、右眼用映像Ｒは偏光領域１３１ｂにより垂直直線偏光に変換される。したがって、パッシブ眼鏡２００を掛けた観察者の左眼には右眼用映像Ｒが遮光されて左眼用映像Ｌのみが届き、右眼には左眼用映像Ｌが遮光されて右眼用映像Ｒのみが届く。したがって、観察者は映像を立体視することができる。
【００６５】
また、図５に示すパッシブ眼鏡２００は、左右のレンズの光学特性を切り替える機構を有する。図示のように、それぞれλ／２位相差を持つ第１のリターダー２１１ａ及び第２のリターダー２１１ｃが偏光板２１１ｂの表側と裏側に配設されている場合、図６に示すように、左眼側で第１のリターダー２１１ａと第２のリターダー２１１ｃの表裏を反転させることにより、左眼側のレンズを水平直線偏光から垂直直線偏光に対応した光学特性に切り換えることができる。
【００６６】
表示装置１００側で、表示パネル１１２の１水平走査ライン毎に、異なる映像Ｐ１とＰ２を交互に表示すると、一方の映像Ｐ１は水平直線偏光に変換され、他方の映像Ｐ２は垂直直線偏光に変換される。したがって、パッシブ眼鏡２００を掛けた観察者の左眼及び右眼の双方には、水平直線偏光に変換された映像Ｐ１が遮光され、垂直直線偏光に変換された映像Ｐ２のみが届くので、観察者は映像Ｐ２を正常に視聴することができる。
【００６７】
同様に、右眼側についても、図７に示すように、右眼側で第１のリターダー２１２ａと第２のリターダー２１２ｃの表裏を反転させることにより、右眼側のレンズを垂直直線偏光から水平直線偏光に対応した光学特性に切り換えることができる。
【００６８】
表示装置１００側で、表示パネル１１２の１水平走査ライン毎に、異なる映像Ｐ１とＰ２を交互に表示すると、パッシブ眼鏡２００を掛けた観察者の左眼及び右眼の双方には、垂直直線偏光に変換された映像Ｐ２が遮光され、水平直線偏光に変換された映像Ｐ１のみが届くので、観察者は映像Ｐ１を正常に視聴することができる。
【００６９】
上述したように、パッシブ眼鏡に左右のレンズを眼鏡のブリッジ部に対して（ピッチ軸回りに）回転可能に支持する構造や、左右のレンズを着脱自在な構造を採用することにより、左右のレンズに対し、（左回り円偏光，右回り円偏光）、（左回り円偏光，左回り円偏光）、（右回り円偏光，右回り円偏光）という３通りの光学特性の組み合わせ、若しくは、（鉛直直線偏光，水平直線偏光）、（直線偏光，鉛直直線偏光）、（水平直線偏光，水平直線偏光）という３通りの光学特性の組み合わせを実現して、１つのパッシブ眼鏡で表示装置１００の３次元映像表示時、及び、異なる映像Ｐ１、Ｐ２表示時のいずれにも対応することができる。
【００７０】
しかしながら、左右のレンズを眼鏡のブリッジ部に対して回転可能に支持する構造や、左右のレンズを着脱自在な構造を採用すると、眼鏡フレームの構造が複雑になり、デザイン的な制約が大きくなるとともに、コスト増を招来することが懸念される。
【００７１】
そこで、ブリッジ部が回転し又は左右のレンズを着脱自在にした構造に代えて、光学特性を同一にした左右のレンズを保持する眼鏡フレームに対し、左右のテンプル部の前後の向きを変更できるような構造にしてもよい。
【００７２】
図８に示すパッシブ眼鏡２００では、第１のリターダー２１１ａと第２のリターダー２１１ｃともに−λ／４の位相差を持ち、且つ、第１のリターダー２１２ａと第２のリターダー２１２ｃともに−λ／４の位相差を持ち、眼鏡フレーム（図示しない）が左右のレンズが同じ光学特性となる図示の向きで固定している。但し、この場合のパッシブ眼鏡２００は、偏光領域１３１ａと偏光領域１３１ｂにそれぞれ±λ／４の位相差を持つパターン・リターダー１３１を備えた表示装置１００に対応している。
【００７３】
ここで、図８に示すように、第１のリターダー２１１ａ、２１２ａが各偏光板２１１ｂ、２１２ｂの表側となり、第２のリターダー２１１ｃ、２１２ｃが各偏光板２１１ｂ、２１２ｂの裏側となるように、左右のテンプル部の向きにすると、左右のレンズともに左回り円偏光に対応した光学特性が与えられる。表示装置１００側で、表示パネル１１２の１水平走査ライン毎に、異なる映像Ｐ１とＰ２を交互に表示すると、一方の映像Ｐ１は左回り円偏光に変換され、他方の映像Ｐ２は右回り円偏光に変換される。したがって、パッシブ眼鏡２００を掛けた観察者の左眼及び右眼の双方には、左回り円偏光に変換された映像Ｐ１が遮光され、右回り円偏光に変換された映像Ｐ２のみが届くので、観察者は映像Ｐ２を正常に視聴することができる。
【００７４】
また、図９に示すように、第１のリターダー２１１ａ、２１２ａが各偏光板２１１ｂ、２１２ｂの裏側となり、第２のリターダー２１１ｃ、２１２ｃが各偏光板２１１ｂ、２１２ｂの表側となるように、左右のテンプル部の前後方向の向きを切り換えると、左右のレンズともに右回り円偏光に対応した光学特性が与えられる。表示装置１００側で、表示パネル１１２の１水平走査ライン毎に、異なる映像Ｐ１とＰ２を交互に表示すると、一方の映像Ｐ１は左回り円偏光に変換され、他方の映像Ｐ２は右回り円偏光に変換される。したがって、パッシブ眼鏡２００を掛けた観察者の左眼及び右眼の双方には、左回り円偏光に変換された映像Ｐ１が遮光され、右回り円偏光に変換された映像Ｐ２のみが届くので、観察者は映像Ｐ２を正常に視聴することができる。
【００７５】
このように光学特性が同一となるように左右のレンズを眼鏡フレームに固定したパッシブ眼鏡２００は、左眼用映像と右眼用映像とで異なる偏光を発する３次元映像を観察することはできない。このため、３次元映像観察用のパッシブ眼鏡（図１０を参照のこと）を別途所持する必要があるが、異なる映像Ｐ１、Ｐ２観察用には１種類のパッシブ眼鏡で済む。また、眼鏡フレームのデザイン的な制約が小さく、簡素な構造で安価に提供することが可能であるというメリットがある。
【００７６】
なお、本明細書の開示の技術は、以下のような構成をとることも可能である。
（１）第１の映像と第２の映像を多重して表示するとともに、前記第１の映像の光を第１の偏光に変換し、前記第２の映像の光を第２の偏光に変換する表示装置と、それぞれ前記第１の偏光及び前記第２の偏光に対応した光学特性に設定可能な左右のレンズを有し、前記第１の偏光に変換された前記第１の映像又は前記第２の偏光に変換された前記第２の映像のいずれかを選択的に遮光する眼鏡装置と、を具備する映像表示システム。
（２）前記表示装置は、前記第１の映像及び前記第２の映像として左眼用映像と右眼用映像を表示する３次元映像表示モードと、前記第１の映像及び前記第２の映像としてそれぞれ異なる映像を表示する複数映像表示モードを有する、上記（１）に記載の映像表示システム。
（３）前記眼鏡装置は、前記左右のレンズの取り付け位置に応じて前記第１の偏光又は前記第２の偏光のいずれかに対応した光学特性に設定する、上記（１）に記載の映像表示システム。
（４）前記眼鏡装置は、前記左右のレンズを互いに独立して前記第１の偏光又は前記第２の偏光のいずれかに対応した光学特性に設定可能である、上記（１）に記載の映像表示システム。
（５）前記眼鏡装置は、前記左右のレンズを一体として前記第１の偏光又は前記第２の偏光のいずれかに対応した光学特性に設定可能である、上記（１）に記載の映像表示システム。
（６）前記表示装置は、前記第１の映像と前記第２の映像をそれぞれ左回り円偏光又は右回り円偏光のいずれかに変換するλ／４位相差板を備え、前記眼鏡装置は前記左右のレンズはそれぞれ、表側に第１のλ／４位相差板を有するとともに裏側に第２のλ／４位相差板を有する偏光板からなる、上記（１）に記載の映像表示システム。
（７）前記第１のλ／４位相差板と前記第２のλ／４位相差板の遅延軸が一致している、上記（６）に記載の映像表示システム。
（８）前記第１のλ／４位相差板と前記第２のλ／４位相差板の遅延軸が互いに９０度ずれている、上記（６）に記載の映像表示システム。
（９）前記眼鏡装置は、前記第１のλ／４位相差板と前記第２のλ／４位相差板の表裏を反転させる反転機構を備え、前記第１のλ／４位相差板と前記第２のλ／４位相差板の表裏を反転させることで、左回り円偏光又は右回り円偏光の光学特性のいずれかに設定する、上記（６）に記載の映像表示システム。
（１０）前記反転機構は、左右のレンズを独立して前記第１のλ／４位相差板と前記第２のλ／４位相差板の表裏を反転させる、上記（９）に記載の映像表示システム。
（１１）前記反転機構は、左右のレンズ間のブリッジ部で左右のレンズをそれぞれ個別に回転可能に支持する、上記（１０）に記載の映像表示システム。
（１２）前記反転機構は、左右のレンズを一体として前記第１のλ／４位相差板と前記第２のλ／４位相差板の表裏を反転させる、上記（９）に記載の映像表示システム。
（１３）前記反転機構は、左右のレンズを保持する眼鏡フレームに対し左右のテンプル部の前後の向きを切り換える、上記（１２）に記載の映像表示システム。
（１４）前記表示装置は、前記第１の映像と前記第２の映像をそれぞれ鉛直直線偏光又は水平直線円偏光のいずれかに変換するλ／２位相差板を備え、前記眼鏡装置は前記左右のレンズはそれぞれ、表側に第１のλ／２位相差板を有するとともに裏側に第２のλ／２位相差板を有する偏光板からなる、上記（１）に記載の映像表示システム。
（１５）前記眼鏡装置は、前記第１のλ／２位相差板と前記第２のλ／２位相差板の表裏を反転させる反転機構を備え、前記第１のλ／２位相差板と前記第２のλ／２位相差板の表裏を反転させることで、鉛直直線偏光又は水平直線偏光の光学特性のいずれかに設定する、上記（１４）に記載の映像表示システム。
（１６）それぞれ前記第１の偏光及び前記第２の偏光に対応した光学特性に設定可能な左右のレンズを有し、前記第１の偏光に変換された前記第１の映像又は前記第２の偏光に変換された前記第２の映像のいずれかを選択的に遮光する眼鏡装置。
（１７）前記左右のレンズはそれぞれ、表側に第１のλ／２位相差板を有するとともに裏側に第２のλ／２位相差板を有する偏光板からなる、上記（１６）に記載の眼鏡装置。
（１８）前記第１のλ／２位相差板と前記第２のλ／２位相差板の表裏を反転させる反転機構をさらに備え、前記第１のλ／２位相差板と前記第２のλ／２位相差板の表裏を反転させることで、鉛直直線偏光又は水平直線偏光の光学特性のいずれかに設定する、上記（１６）に記載の眼鏡装置。
（１９）前記反転機構は、左右のレンズ間のブリッジ部で左右のレンズをそれぞれ個別に回転可能に支持する、上記（１８）に記載の眼鏡装置。
（２０）前記反転機構は、左右のレンズを保持する眼鏡フレームに対し左右のテンプル部の前後の向きを切り換える、上記（１８）に記載の眼鏡装置。
【産業上の利用可能性】
【００７７】
以上、特定の実施形態を参照しながら、本明細書で開示する技術について詳細に説明してきた。しかしながら、本技術の要旨を逸脱しない範囲で当業者が該実施形態の修正や代用を成し得ることは自明である。
【００７８】
本明細書では、パターン・リターダー方式の映像表示システムに適用した実施形態を中心に説明してきたが、本明細書で開示する技術の要旨はこれに限定されるものではない       。アクティブ・リターダー方式を始め偏光眼鏡を用いたさまざまなタイプの映像表示システムに対して、同様に本明細書で開示する技術を適用することができる。
【００７９】
要するに、例示という形態により本明細書で開示する技術について説明してきたのであり、本明細書の記載内容を限定的に解釈するべきではない。本明細書で開示する技術の要旨を判断するためには、特許請求の範囲を参酌すべきである。
【符号の説明】
【００８０】
１００…表示装置
１１０…映像表示部
１１２…液晶パネル
１１３…ゲート・ドライバー、１１４…データ・ドライバー
１２０…映像信号制御部
１３１…パターン・リターダー、１３２ａ、１３２ｂ…偏光板
１４０…タイミング制御部
１５０…映像メモリー
１６２…光源
２００…パッシブ眼鏡
２１１…左眼用レンズ
２１１ａ、２１１ｃ…リターダー、２１１ｂ…偏光板
２１２…右眼用レンズ
２１２ａ、２１２ｃ…リターダー、２１２ｂ…偏光板
【図１】
2013235209.tif 000003
【図２】
2013235209.tif 000004
【図３】
2013235209.tif 000005
【図４】
2013235209.tif 000006
【図５】
2013235209.tif 000007
【図６】
2013235209.tif 000008
【図７】
2013235209.tif 000009
【図８】
2013235209.tif 000010
【図９】
2013235209.tif 000011
【図１０】
2013235209.tif 000012
【図１１】
2013235209.tif 000013
【図１２】
2013235209.tif 000014
【図１３】
2013235209.tif 000015
【図１４】
2013235209.tif 000016